(57)【要約】【課題】有効な機能を数多く有する「活性水」の開発とその製造手段就中装置を開発すること【解決手段】従来の水道水供給装置に於いて、水道水供給装置自体を給水部（Ａ）と噴水部（Ｂ）に２分して嵌め込み式となし、給水部（Ａ）には給水口（１）から導入される水流をジェット流とするためのノズル部（２）、ノズル部（２）に隣接して噴水部（Ｂ）に設けられた磁気発生部（３）、及び磁気発生部（３）の噴水側に設けられた空気導入口（４）、噴水部（Ｂ）に設けられたジェット流の衝突壁部（５）を夫々具備したこと【選択図】図１
0003098416.tif 000002
【実用新案登録請求の範囲】
【請求項１】
従来の水道水供給装置に於いて、水道水供給装置自体を給水部（Ａ）と噴水部（Ｂ）に２分して嵌め込み式となし、給水部（Ａ）には給水口（１）から導入される水流をジェット流とするためのノズル部（２）、ノズル部（２）に隣接して噴水部（Ｂ）に設けられた磁気発生部（３）、及び磁気発生部（３）の噴水側に設けられた空気導入口（４）、噴水部（Ｂ）に設けられたジェット流の衝突壁部（５）を夫々具備したことを特徴とする水道水供給装置
【請求項２】
請求項１の水道水供給装置において、給水管のノズル部（２）の直前にラセン溝を設けた水道水供給装置
【請求項３】
噴水部（３）の拡散噴水口（６）に回転羽根付噴水用ユニット（７）を設けた請求項１又は２に記載の水道水供給装置
【請求項４】
上記噴水用ユニット（７）に於いて、噴水用パネル（８）、回転羽根（９）及び羽根固定用部材（１０）が、その外部カバー（１１）によって内包された構造である請求項３に記載の水道水供給装置
【請求項５】
上記噴水用パネル（８）に設けられた噴水孔（１２）が、その内部（水が導入される側）と外側（水が大気中に噴出される側）との間でテーパーを設けたものである請求項４に記載の水道水供給装置
【考案の詳細な説明】
【０００１】
【考案が属する技術分野】
本考案は水道水供給装置に関し、更に詳しくは各種の優れた特性を有する所謂「活性水」を水道水から給水出来る水道水供給装置就中シャワーヘッドに関する。
【０００２】
【従来の技術】
最近水に種々の特別の機能を賦与した所謂「活性水」の研究が注目を集め、現在盛んに研究が行われるようになって来た。そしてこの「活性水」の機能や「活性水」を製造するための装置について数多くの検討が行われている。しかし乍ら現在この「活性水」を、簡単に製造出来る装置については殆ど開発が開発されておらず、「活性水」の有効な機能の賦与とその製造装置の開発が強く要望されているのが現状である。
【０００３】
【本考案が解決しようとする課題】
本考案が解決しようとする課題は、「活性水」に関する従来の上記要望に応え得る装置を開発することであり、更に詳しくは、有効な機能を数多く有する「活性水」の開発とこれを製造するための装置を開発することである。
【０００４】
【課題を解決するための手段】
本考案者は上記課題を解決するために従来から鋭意研究を重ねて来たが、この研究に於いて基本的には従来の水道水供給装置たとえばシャワーヘッドをそのまま利用して、これに改良点をつけ加えることによって「活性水」を製造できないであろうかという全く新しい着想に到達し、この新しい着想の実現について更に研究をおし進めた結果、次の様な改良を従来の水道水供給装置たとえばシャワーヘッドに行うことにより所期の目的を達成出来ることを見出し、茲に本考案を完成した。
【０００５】
即ち本考案は水道水供給装置たとえばその代表例たるシャワーヘッドについて図面を参照しつつ説明すると以下の通りである。
（イ）従来の水道水供給装置たとえばシャワーヘッドに於いて、
（ロ）シャワーヘッド自体を給水部（Ａ）と噴水部（Ｂ）に２分して、夫々　を嵌め込み式とすること。
（ハ）給水部（Ａ）には給水口（１）から導入される水流をジェット流とす　るためのノズル部（２）を設けたこと。
（ニ）このノズル部（２）に隣接して磁気発生部（３）を設けたこと。
（ホ）同時に磁気発生部（３）の噴水側に空気導入口（４）を設けたこと。
（ヘ）噴水部（Ｂ）にはジェット流を衝突せしめるための衝突壁（５）を設　けたこと
である。
【考案の好ましい実施態様】
本考案の水道水供給装置として、その好ましい一例であるシャワーヘッド　を代表例として説明すると以下の通りである。
【０００６】
本考案に於いては、上記（イ）に示した如く、従来のシャワーヘッドを給　水部（Ａ）と噴水部（Ｂ）とに２分して嵌め込み式とすることにより、上記　（ハ）のノズル部（２）、上記（ニ）の磁気発生部（３）及び空気導入口（　４）を所定の位置に設けることが出来る。
そして、本考案に於いては上記（ハ）〜（ホ）を従来のシャワーヘッドの　図示する所定の位置に設けることにより、次の様な作用を発揮する。
即ち、給水口（１）から導入される水道水をノズル部（２）によりジェッ　ト流となすと共に、これに上記（ホ）の空気導入口（４）から空気をジェッ　ト流中に吸入させ、水と空気とを攪拌して微細な空気泡を多量ほぼ均一に水　中に生成せしめ、更にこの際上記（ニ）により発生する磁界中を通水させて　磁気の効果を発揮せしめるものである。
【０００７】
そして、磁界中を通過させた後の空気泡を含むジェット流を（ヘ）の衝突　壁に衝突せしめることにより、結果として後記する特別な機能を有する所謂　「活性水」がシャワーヘッドの噴水口（６）から噴出されることとなる。
【０００８】
【考案の作用】
本考案に於いては、上記（イ）〜（ヘ）の各手段を採用することをその基本とするが、更に次の（ト）〜（チ）の各手段を必要に応じて採用することが出来る。
【０００９】
（ト）上記ノズル部（２）の直前にラセン溝を更に設けること。これにより　、導入された水道水がラセン状にノズル部（２）に供給され、より容　　易にジェット流となって噴出され易くなる。
【００１０】
（チ）噴出部（Ｂ）の噴出口に図２に示す通り回転羽根（９）を主体とする　噴水用ユニット（７）を設けること。尚この噴水用ユニットは上記回　　転羽根（９）の他に噴水用パネル（８）、羽根固定用部材（１０）及　　　び外部カバー（１１）より成っている。
【００１１】
このユニットを用いることにより、気泡を含有した水が更に羽根により攪　拌され、より小さな空気泡となすと共に均一分散性を向上せしめ、より優れ　た機能を有する活性水となる。
【００１２】
なおこの際、噴水用パネル（８）には多数の噴水孔（１２）が設けられて　いる。この噴水用パネル（８）は２〜５ｍｍ程度の厚みを有し、この間に噴　水孔（１２）が設けられていて、噴水孔（１２）の内側（水が導入される側　）と外側（外部に水が噴出される側）との間でテーパーを設けて、内側をせ　まくすることにより、水の噴出がより一層スムースに行われるようになって　いる。この際のテーバーの程度は２０：４、好ましくは１０：３特に好まし　くは５：４程度である。また噴水孔は好ましくは１００〜１５０、特に好ま　しくは１３０〜１４０個位設ける。
【００１３】
本考案に於いて使用される水道水供給装置の好ましい代表例はシャワーヘ　ッドであり、その他水道水と供給出来る装置であれば広く各種の装置が含ま　れる。代表例たるシャワーヘッドとしては従来から使用されて来たものがそ　のまま使用出来、これに上記（ロ）〜（チ）の部材を付加すれば良い。また　シャワーヘッドとしては家庭用のもの（図１）ばかりでなく業務用のもの（　図２）や図２と同様の形態を有する家庭用のものも当然使用出来る。
【００１４】
本考案に於いてはノズル部（２）としては、導入された水道水をジェット　流とすることが出来る構造のものが広く使用出来る。そして従来のシャワー　ヘッドを２分し、その給水部（Ａ）にノズル部（２）を形成する。
【００１５】
また磁気発生部（３）は、磁気を発生する物質を内周面の一部又は全面に　設けることが出来る。空気導入口（４）は外部から空気を吸い込むために設　けられるものであるため、空気が必要量導入出来るかぎり、その孔の大きさ　や数は適宜に決定することが出来る。
【００１６】
本考案に於いて設けられる衝突壁（５）はジェット流が衝突して更に小さ　な気泡となって、その分散状態もより一層均一にせしめるために設けられた　ものであり、その目的が達成されるものであれば、広く各種の形状のものが　適宜に使用出来る。
【００１７】
本考案のシャワーヘッドを用いて供給される「活性水」は次の様な優れた　特性を有している。これは本考案の水道水供給装置たとえばシャワーヘッド　が、
【００１８】
（Ａ）水道水からの水をジェット流として、これに空気を吸入させて、微細な　空気泡を多数水中に分散せしめたこと。
（Ｂ）更に通過水を磁気処理したこと、
（Ｃ）ジェット流を衝突壁に衝突させて、より一層の空気泡の微細化を均一分　散性とを賦与したこと。
等によって、以下の優れた各特性を有するものとなる。
【００１９】
【実施例】
以下に本考案の水道水供給装置の実施例をして、本考案を詳しく説明する。
【実施例】
以下に本考案の水道水供給装置の実施例を示して、本考案を詳しく説明する。
【実施例１】
図１に示すシャワーヘッド（家庭用）を作成した。すでに若干説明したが、更に詳しく説明する。
（イ）従来のシャワーヘッドに於いて、
（ロ）シャワーヘッド自体を給水部（Ａ）と噴水部（Ｂ）に２分して、夫々　を嵌め込み式とし、
（ハ）給水部（Ａ）には給水口（１）から導入される水流をジェット流とす　るためのノズル部（２）を設け、
（ニ）このノズル部（２）に隣接して磁気発生部（３）を設け、
（ホ）同時に磁気発生部（３）の噴水側に空気導入口（４）を設け、加えて
（ヘ）噴水部（Ｂ）にはジェット流を衝突せしめるための衝突壁（５）を設　けた。
【００２０】
そして、給水口（１）から導入される水道水をノズル部（２）によりジェ　ット流とし、これに上記（ホ）の空気導入口（４）から空気をジェット流中　に吸入させ、水と空気とを攪拌して微少な空気泡を多量ほぼ均一に水中に生　成せしめ、更にこの際上記（ニ）により発生する磁界中を通水させて磁気の　効果を発揮せしめた。
【００２１】
加えてこの空気泡を含んだジェット流を磁界中に通水せしめた後、（ヘ）　の衝突壁に衝突せしめることにより、結果として特別な機能を有する所謂「　活性水」がシャワーヘッドの噴水口（６）から、噴出された。
【００２２】
【実施例２】
図２に示すシャワーヘッド（業務用）のものを作製した。この例について
はすでに図２に基づいて詳しく説明した通りである。
【００２３】
【実施例３】
実施例１及び２で得たシャワーヘッドを実際に本来のシャワーヘッドとして使用した場合は、以下の如き優れた効果が得られる。
（ａ）風呂の場合と同様の効果がある。特に洗髪時の残留洗剤もキレイに洗いながせる。特に毛根の深部の汚れもおちる。
（ｂ）化粧落しや洗顔に好適で、クリームの吸収も早い
（ｃ）シャワーを適用することにより、各種細胞を活性化させる
（ｄ）風呂の中にシャワーヘッドの流水口だけを浸けて使用すると、超音波効果と同様の効果を発揮し、細胞活性化を促進し、マッサージ効果をあげる
（ｅ）洗浄力が高い
（ｆ）消臭効果が大きい
【００２４】
【実施例４】
実施例１及び２のシャワーヘッドを一般用の蛇口として使用した。この場合は以下の効果があった。
（ｇ）カルキ臭や不純物が気化排除されるため臭気がなくなると同時に、節水効果が得られる。
（ｈ）水がまろやかになって味が良くなる
（ｉ）米洗いが早く炊き上がりがふっくらとして美味
（ｊ）お茶（紅茶も含む）などの味が良くなり、香りも良くなる
（ｋ）酒、しょう油などをビンごと「活性水」に入れておくと、味や香りがよくなる
（ｌ）活性水によるウイスキーの水割りは、味、香りとも一段と良好となる
（ｍ）野菜や果物を洗浄し、活性水に浸けておくと新鮮さが甦り永持する
（ｎ）もやしは独特の臭いがとれ、シャキとする
（ｏ）おでんなどの煮込みは、調味料の浸透が早い
（ｐ）洗剤のおちが良く、手荒れしないし手がスベスベする
（ｑ）「活性水」をポリ容器たとえばポリ袋に入れ冷蔵庫の保存庫に入れておくと野菜などの劣化を防ぐ
（ｒ）毎日飲むことにより、便通が良くなる
【００２５】
【実施例５】
上記シャワーヘッドを風呂の蛇口として使用した。この場合以下の優れた効果があった。
（ｓ）一番風呂でも肌ざわりが良く、気持ち良く、気分も落ち着く
（ｔ）細胞が活性化され、血行が良くなり湯ざめしなく、また疲労回復につながる
（ｕ）浴槽が汚れにくい（湯垢などの付着物が極めて少ない）
【００２６】
【実施例６】
上記各シャワーヘッドを以下の用途に使用した結果、次のような効果があった（ｖ）水彩画や水墨画などの用水として使うと発色効果を発揮する
（ｗ）切り花や生け花を活性化させ永持ちさせる
（ｘ）うがいや歯磨の時に使用すると、歯石がとれ歯垢を活性化させる
【００２７】
【図面の簡単な説明】
【図１】図１は本考案の一例を示す実施例１のシャワーヘッド（家庭用）の説明図である
【図２】図２は上記実施例１の他の具体例のシャワーヘッド（業務用）の説明図である
【図３】図３は図２のシャワーヘッドに用いる噴水用ユニットの説明図である。
【００２８】
【符号の説明】
１：給水口
２：ノズル部
３：磁気発生部
４：空気導入口
５：衝突用壁部
６：噴水口
７：噴水用ユニット
８：噴水用パネル
９：回転羽根
１０：羽根固定用部材
１１：外部カバー
１２：噴水孔
１３：ゴムパッキン
【図１】
0003098416.tif 000003
【図２】
0003098416.tif 000004
【図３】
0003098416.tif 000005